(57)【要約】【課題】本発明は、切断屑を効率的にゴミ箱に堆積させることが可能なプリンタ装置を提供することを目的とする。【解決手段】本発明によるプリンタ装置は、記録紙１２の一部を記録紙１２の幅方向に切断するカッター２を備え、カッター２によって切断された記録紙１２の切断屑３を収納するゴミ箱１と、ゴミ箱１の入口に設けられ、切断屑３を回転動作によってゴミ箱１内に送り込む回転羽根１５ａを有する回転体１５とを備えることを特徴とする。【選択図】図３
2010188618.tif 000002
【特許請求の範囲】
【請求項１】
記録紙の一部を前記記録紙の幅方向に切断するカッターを備えるプリンタ装置において、
前記カッターによって切断された前記記録紙の切断屑を収納するゴミ箱と、
前記ゴミ箱の入口に設けられ、前記切断屑を回転動作によって前記ゴミ箱内に送り込む回転羽根を有する回転体と、
を備えることを特徴とする、プリンタ装置。
【請求項２】
前記回転体の直下において、前記回転体の回転軸方向と平行な前記ゴミ箱の両側面に相対して漏斗状に設けられた弾性体であるガイド板をさらに備えることを特徴とする、請求項１に記載のプリンタ装置。
【請求項３】
前記ガイド板は、前記回転体の回転方向前方および後方にそれぞれ位置する第１および第２のガイド板を備え、
前記第２のガイド板の先端は、前記第１のガイド板の先端よりも下方に位置し、
前記第１のガイド板と前記回転羽根との間で前記切断屑を挟持しつつ、前記回転羽根の回転駆動によって前記切断屑を前記ゴミ箱内に送り込むことを特徴とする、請求項２に記載のプリンタ装置。
【請求項４】
前記回転体の前記回転軸と同軸上に配置されたトルクリミッタをさらに備え、
前記トルクリミッタは、前記回転体の前記回転羽根と前記ガイド板とが接触することによって前記接触の圧力が所定の圧力以上であることを検知すると前記回転体の回転動作を停止させることを特徴とする、請求項２または請求項３に記載のプリンタ装置。
【請求項５】
前記ゴミ箱内に配置され、前記切断屑を蓄積し、かつ、前記ゴミ箱の底面と前記ガイド板との間で上下移動が可能な移動受け皿をさらに備えることを特徴とする、請求項２ないし請求項４のいずれかに記載のプリンタ装置。
【請求項６】
前記ゴミ箱は、前記カッターの前記切断屑の排出側の近傍に配置されることを特徴とする、請求項１ないし請求項５のいずれかに記載のプリンタ装置。
【請求項７】
前記ゴミ箱は、前記切断屑の残量が分かるように目盛りを表示することを特徴とする、請求項１ないし請求項６のいずれかに記載のプリンタ装置。
【請求項８】
前記ゴミ箱は、
前記ゴミ箱の側面のうちの少なくとも１つの面であって開閉可能なカバーと、
前記側面のうちの前記カバーを含まない相対する両側面に設けられ、前記カバーを閉ロックするロック部材と、
をさらに備え、
前記カバーは、前記移動受け皿が前記ゴミ箱の底面以外に存在するときは前記ロック部材によって閉ロックされ、前記移動受け皿が前記ゴミ箱の底面に存在するときは前記ロック部材による閉ロックが解除されることを特徴とする、請求項５ないし請求項７のいずれかに記載のプリンタ装置。
【発明の詳細な説明】
【技術分野】
【０００１】
本発明は、プリンタ装置に関し、特に、記録紙の切断屑を収納するゴミ箱を備えるプリンタ装置に関する。
【背景技術】
【０００２】
従来のプリンタ装置は、カッターとゴミ箱との間にベルト機構を設け、カッターにて切断されたごみ屑をベルト機構によってゴミ箱に搬送するもの（例えば、特許文献１参照）や、切断された切断屑がゴミ箱内に無作為に蓄積されてすぐに満杯となるため、切断屑を上方から押圧する押圧部材を備えるもの（例えば、特許文献２参照）がある。
【０００３】
また、ヘッド駆動装置とゴミ箱の一部とが接触するように構成されており、ヘッド駆動装置の駆動動作による振動によって切断屑が圧縮されて満杯になる期間を増大させるもの（例えば、特許文献３参照）や、メモリーカードのカバー部と屑箱とが一体に設けられており、メモリーカードの挿抜の際にカバー部を取り外すと屑箱も同時に取り出されるため、屑箱に堆積された切断屑の量を確認することができるものもある（例えば、特許文献４参照）。
【先行技術文献】
【特許文献】
【０００４】
【特許文献１】特開２００３−２６０８３４号公報（第２図）
【特許文献２】特開２００６−１９２６５４号公報（第４図）
【特許文献３】特開２００４−１８１８５１号公報（第３図）
【特許文献４】特開２００５−１４２４２号公報（第２図）
【発明の概要】
【発明が解決しようとする課題】
【０００５】
特許文献１では、カッターの下方にベルト機構を設けているため収納スペースが大きくなり、また、ベルト機構を構成するためにはベルト、ローラー、およびこれらの駆動源を備える必要があるため構造が複雑となって部品点数が増加するという問題があった。さらに、ベルトの信頼性による搬送能力の低下という問題があった。
【０００６】
特許文献２では、ゴミ箱内に貼り付いた切断屑や不規則に堆積している切断屑をそのまま押圧によって圧縮させるためゴミ箱内に隙間などが生じ、本来なら十分に蓄積できる量の切断屑が蓄積できず、蓄積の効率が悪くなるという問題があった。また、切断屑が堆積されるにつれて、頻繁に切断屑がカッターの切断部に入り込んでしまい紙詰まりを起こすという問題があった。
【０００７】
特許文献３では、ヘッド駆動装置の駆動動作時に生じる振動によってゴミ箱内に貼り付いている切断屑や不規則に堆積している切断屑を整列させようとしているが、振動の大小や振動のタイミングによっては切断屑の挙動が不規則になるため、切断屑をゴミ箱内に整然と堆積させることができなくなるという問題があった。また、不規則にゴミ箱に送り込まれた切断屑は、ゴミ箱内の収納空間が広い場合では比較的整然と堆積されるが、切断屑がゴミ箱内で乱雑に堆積されている場合では切断屑同士が絡み合うなどして整然と堆積されずゴミ箱内がすぐに満杯になってしまい、この状態でさらに堆積されると切断屑がカッター付近に溢れてしまって紙詰まりやカッターの刃を傷めるという問題があった。
【０００８】
特許文献４では、メモリーカードの挿抜の際に屑箱に堆積された切断屑の量を確認しているため、気が付かない内に切断屑が堆積してカッターに接触してしまうという問題があった。また、カッターでの切断時に生じる紙粉や毛羽が切断屑とともにゴミ箱に堆積される場合があるため、堆積量が多くなると紙粉や毛羽がカッターの刃やプリンタ内部に入り込んで記録紙に付着するという問題があった。
【０００９】
本発明は、これらの問題を解決するためになされたもので、切断屑を効率的にゴミ箱に堆積させることが可能なプリンタ装置を提供することを目的とする。
【課題を解決するための手段】
【００１０】
上記の課題を解決するために、本発明によるプリンタ装置は、記録紙の一部を記録紙の幅方向に切断するカッターを備え、カッターによって切断された記録紙の切断屑を収納するゴミ箱と、ゴミ箱の入口に設けられ、切断屑を回転動作によってゴミ箱内に送り込む回転羽根を有する回転体とを備えることを特徴とする。
【発明の効果】
【００１１】
本発明によると、カッターによって切断された記録紙の切断屑を収納するゴミ箱と、ゴミ箱の入口に設けられ、切断屑を回転動作によってゴミ箱内に送り込む回転羽根を有する回転体とを備えるため、切断屑を効率的にゴミ箱に堆積させることが可能となる。
【図面の簡単な説明】
【００１２】
【図１】本発明の実施形態１によるプリンタ装置の構成図である。
【図２】本発明の実施形態１によるゴミ箱の構成図である。
【図３】本発明の実施形態１によるゴミ箱の構成図である。
【図４】本発明の実施形態１によるゴミ箱の構成図である。
【図５】本発明の実施形態１によるゴミ箱の構成図である。
【図６】本発明の実施形態１によるゴミ箱の構成図である。
【図７】本発明の実施形態１によるゴミ箱の構成図である。
【図８】本発明の実施形態１によるゴミ箱の構成図である。
【図９】本発明の実施形態１による回転体と伝達ギヤとのトルクの関係を示した図である。
【図１０】本発明の実施形態２によるゴミ箱の構成図である。
【図１１】本発明の実施形態２によるゴミ箱の構成図である。
【図１２】本発明の実施形態２によるゴミ箱の残量を示す図である。
【図１３】本発明の実施形態２によるゴミ箱の前面カバーの開閉を示す図である。
【発明を実施するための形態】
【００１３】
本発明の実施形態について、図面を用いて以下に説明する。
【００１４】
〈実施形態１〉
図１は、本発明の実施形態１によるプリンタ装置の構成図である。図１に示すように、本実施形態１によるプリンタ装置は、記録紙１２の一部を記録紙１２の幅方向に切断するカッター２と、カッター２の切断屑３の排出側の近傍に配置され、カッター２によって切断された記録紙１２の切断屑３を収納するゴミ箱１と、ロール紙１１をカッター２に搬送する排紙ローラー４と、排紙ローラー４と圧接して回転駆動する駆動歯車５と、駆動歯車５の動力を伝達ギヤ１８（図２）に伝達する伝達小ギヤ５ａと、ロール紙１１に印画するサーマルヘッド６と、サーマルヘッド６と圧接してロール紙１１を搬送するプラテンローラー７と、搬送モーターのトルクをペーパーロール１０に巻かれていたロール紙１１に伝達することにより、ロール紙１１を前後方向に搬送させることが可能なグリップローラー９と、グリップローラー９と圧接または開放が自在なピンチローラー８とを備えている。
【００１５】
図２は、本発明の実施形態１によるゴミ箱１の構成図である。図２に示すように、本実施形態１によるゴミ箱１は、カッター２によって切断された切断屑３がゴミ箱１に入ってくるときに引っかからないように滑らかに送り込むように設置された入り口滑り台１４と、ゴミ箱１の入り口に設けられ、切断屑３を回転動作によってゴミ箱１内に送り込む回転羽根１５ａを有する回転体１５と、回転体１５と同軸上に設置されて回転体１５と同期して回転する円盤形状のエンコーダー１６と、プリンタ本体に設置された駆動歯車５の駆動力を伝達小ギヤ５ａを介して回転体１５に伝達する伝達ギヤ１８と、一方は回転体１５の回転軸と嵌合し、他方は伝達ギヤ１８と嵌合するように配置され、所定値以上のトルク値になると回転体１５の回転を滑らせるトルクリミッタ１７とを備えている。
【００１６】
回転体１５はゴミ箱１の両側面間に配置された自由に回転可能な円筒状の回転体であり、回転羽根１５ａは回転体１５の表面に形成され入り口滑り台１４から落下してきた切断屑３を捕らえ、ゴミ箱１の途中で引っかからないように水平に整列して下方へ落下させる。回転体１５は、排紙ローラー４の駆動歯車５の駆動力を伝達小ギヤ５ａを介して供給されることにより駆動しているため、排紙ローラー４によって記録紙１２が所定の長さ搬送されている間に回転駆動している。
【００１７】
また、トルクリミッタ１７は回転体１５の回転軸と同軸上に配置され、回転体１５の回転羽根１５ａと入り口ガイド板（第２のガイド板）１４ａとが接触することによって接触の圧力が所定の圧力以上であることを検知すると回転体１５の回転動作を停止させる。
【００１８】
なお、ゴミ箱１は、フェンスカバー１４ｂ（図７）を備えており、フェンスカバー１４ｂはカッター２にて切断された切断屑３が飛び散らないように設けられ、切断屑３をゴミ箱１内に落下させる。
【００１９】
図３は、本発明の実施形態１によるゴミ箱１の構成図である。図３（ａ）はゴミ箱１の断面図であり、図３（ｂ）はゴミ箱１の斜視図である。図３に示すように、ゴミ箱１は、回転体１５の直下において、回転体１５の回転軸方向と平行なゴミ箱１の両側面に相対して漏斗状に設けられた弾性体である入り口ガイド板（ガイド板）１４ａをさらに備えている。入り口ガイド板１４ａは、回転体１５の回転方向前方および後方にそれぞれ位置する第１のガイド板（図３左側）および第２のガイド板（図３右側）を備え、第２のガイド板の先端は、第１のガイド板の先端よりも下方に位置し、第１のガイド板と回転羽根１５ａとの間で切断屑３を挟持しつつ、回転羽根１５ａの回転駆動によって切断屑３をゴミ箱１内に送り込んでいる。
【００２０】
次に、切断屑３がゴミ箱１内に送り込まれる動作について図３から図７を用いて説明する。
【００２１】
カッター２にて切断された切断屑３は、下方に飛ばされてフェンスカバー１４ｂに当たった後にゴミ箱１の入り口に入り、入り口滑り台１４を自重により滑り落ちる（図３（ａ）、（ｂ））。
【００２２】
切断屑３の毛羽や折れ曲がった状態の切断屑３が入り口滑り台１４にて引っ掛かった場合は、弾性力のある回転羽根１５ａの回転力によって確実に取り除かれる（図４（ａ）、（ｂ））。
【００２３】
入り口滑り台１４を滑り落ちた切断屑３は、回転体１５の回転羽根１５ａによって捕らえられる。その後、回転羽根１５ａに沿って回転しながら上方から下方へと移動する（図５（ａ）、（ｂ））。
【００２４】
回転体１５の回転羽根１５ａによって搬送された切断屑３は、入り口ガイド板（第１のガイド板）１４ａと回転羽根１５ａとの間で挟持されつつ搬送され、入り口ガイド板１４ａ間（第１のガイド板と第２のガイド板との間）から下方へと落下される（図６（ａ）、（ｂ））。
【００２５】
入り口ガイド板１４ａ間から落下するときの切断屑３は、回転羽根１５ａの形状に沿った形、すなわち回転体１５の回転軸と平行な状態となってゴミ箱１の下方に落下する。従って、切断屑３は、ゴミ箱１の底面から順に一定の姿勢が保たれた状態で整然と堆積されていく（図７）。
【００２６】
このように、ゴミ箱１内で堆積された切断屑３の収納効率が向上するため、大量の切断屑３を蓄えることが可能となる。また、カッター２による切断回数に応じて排紙ローラー４の駆動歯車５の駆動速度を変化させることによって、ゴミ箱１の底面に落下される切断屑３の落下軌道を変えて落下位置をずらすことが可能となるため、さらに堆積効率が向上する。さらに、排紙ローラー４が紙戻し時に逆方向に回転する場合において、回転体１５も同期して逆方向に回転するため、このとき入り口滑り台１４と回転体１５との間で引っ掛かった切断屑３を回転体１５の回転羽根１５ａの正逆回転動作によって取り除くことが可能となる。
【００２７】
図８は、本発明の実施形態１によるゴミ箱１の構成図である。ゴミ箱１に堆積された切断屑３が満杯になってくると（図８（ａ））、堆積された切断屑３が入り口ガイド板（第２のガイド板）１４ａに接触し、接触による圧力が所定の圧力以上になると、入り口ガイド板１４ａは切断屑３によって上方に持ち上げられるように変形する。変形した入り口ガイド板１４ａは、回転体１５の回転羽根１５ａに接触し、接触の圧力による負荷が回転体１５の回転モーメントとなり回転軸上にロストルクとなって現れる（図８（ｂ））。そして、回転体１５の回転軸上におけるロストルクが、回転体１５と同軸上に嵌合しているトルクリミッタ１７のトルク値よりも大きくなると、回転体１５は次第に回転速度が遅くなって最終的には停止する。
【００２８】
図９は、本発明の実施形態１による回転体１５と伝達ギヤ１８とのトルクの関係を示した図である。図９に示すように、エンコーダー１６の回転速度をＮｅ、伝達ギヤ１８の回転速度をＮｇ、エンコーダー１６側のトルク値（回転体１５の回転軸上におけるトルク値）をＴｅ、伝達ギヤ１８側のトルク値をＴｇとする。
【００２９】
図９において、ゴミ箱１内の切断屑３が少ないとき、回転体１５の回転羽根１５ａは入り口ガイド板１４ａと接触することなく負荷がかからない状態で回転するため、トルク値はＴｅ＜Ｔｇとなり、回転速度はＮｅ＝Ｎｇとなる。
【００３０】
一方、ゴミ箱１内の切断屑３が満杯のとき、回転体１５の回転羽根１５ａは入り口ガイド板１４ａと接触して負荷がかかった状態で回転するため、トルク値はＴｅ≧Ｔｇとなり、回転速度はＮｅ＜Ｎｇとなる。
【００３１】
上記のように、ゴミ箱１内が切断屑３で満杯状態になると、回転体１５の回転羽根１５ａと入り口ガイド板１４ａとの接触圧によって回転体１５が停止するため、回転体１５と同軸上に配置されたエンコーダー１６の回転速度も遅くなる。このときのエンコーダー１６の回転数を遮光センサーなどで検知することによって、ゴミ箱１内が満杯状態であることをユーザーに知らせることができる。
【００３２】
以上のことから、回転体１５の回転羽根１５ａを用いることによって、カッター２にて切断された切断屑３がゴミ箱１に貼り付いたり絡み合うことを防ぐことができ、切断屑３を効率的にゴミ箱１に堆積させることが可能となる。また、ゴミ箱１内が切断屑３で満杯であることを検知できるため、記録紙１２を大量に印刷できるとともに、ユーザーに対する切断屑３の破棄の合図のタイミングを少なくすることが可能となる。さらに、入り口ガイド板１４ａがゴミ箱１内で漏斗状に設けられているため、カッター２にて切断された切断屑３とともに生じる紙粉や毛羽が、ゴミ箱１からカッター２の刃やプリンタ本体内に逆戻りすることがなくなり、紙詰まりやカッター２の刃を傷めることを防ぐことができる。
【００３３】
また、ゴミ箱１内で満杯になった切断屑３は整然と堆積されているが、それぞれの切断屑３間で僅かに空間が生じた状態となっている。この対策としては、トルクリミッタ１７のトルク値を高くしてエンコーダー１６側のトルク値Ｔｅを高くすることによって、回転体１５の回転羽根１５ａと入り口ガイド板（第１のガイド板）１４ａとの接触圧を高くして切断屑３を圧縮するため、さらに効率的にゴミ箱１内に堆積させることが可能となる。
【００３４】
さらに、回転羽根１５ａに比較的柔軟性のある素材を用いることによって、切断屑３の搬送が容易となる。また、回転羽根１５ａの先端に刷毛のような形状を形成することによって、ゴミ箱１内に貼り付いた紙粉や毛羽をさらに取り除き易くなる。
【００３５】
〈実施形態２〉
図１０は、本発明の実施形態２によるゴミ箱１の構成図である。図１０に示すように、本実施形態２によるプリンタ装置は、ゴミ箱１内に配置され、切断屑３を蓄積し、かつ、ゴミ箱１の底面と入り口ガイド板（ガイド板）１４ａとの間で上下移動が可能な移動受け皿１９を備えていることを特徴としている。移動受け皿１９は、ゴミ箱１の相対する内側面に形成されたレール１ａと嵌合しており、水平状態を保ってゴミ箱１内を上下に移動可能である。移動ばね２０は、一方がゴミ箱１の引っ掛け部（図示せず）に引っ掛けられ、もう一方が移動受け皿の引っ掛け部（図示せず）に引っ掛けられており、移動受け皿１９の重量の変動により変位する。その他の構成および動作は、実施形態１と同様であるため、ここでは説明を省略する。
【００３６】
次に、切断屑３がゴミ箱１内に送り込まれる動作について説明する。
【００３７】
カッター２にて切断された切断屑３は、カッター２の直下に配置された入り口滑り台１４に沿って滑り落ちる。そして、回転体１５の回転羽根１５ａと入り口ガイド板（第１のガイド板）１４ａとの間で切断屑３を挟持しつつ、回転羽根１５ａの回転駆動によって入り口ガイド板１４ａ間から切断屑３をゴミ箱１内に送り込む。このとき、入り口ガイド板１４ａの近傍に移動受け皿１９が水平状態で配置されている。従って、入り口ガイド板１４ａと移動受け皿１９との距離が非常に短いため、切断屑３は落下途中でゴミ箱１に貼り付いたり絡み合ったりして嵩張ることなく、ほぼ一定の姿勢のままで移動受け皿１９に落下して整然と堆積される。
【００３８】
図１１は、本発明の実施形態２によるゴミ箱１の構成図である。図１１に示すように、移動ばね２０は、移動受け皿１９に堆積する切断屑３の重量に応じて伸縮するようにばね定数が設定されており、移動受け皿１９に切断屑３がある程度堆積されると、移動受け皿１９は移動ばね２０の伸長に伴って下方へと移動する。このとき、移動受け皿１９はレール１ａと嵌合しているため傾くことはない。従って、移動受け皿１９は水平状態を保ったまま下方に移動し、水平状態で落下される切断屑３は常に一定の姿勢を保ったまま移動受け皿１９に堆積される。そして、ゴミ箱１の底面に移動受け皿１９が到達すると満杯状態となる。
【００３９】
図１２は、本発明の実施形態２によるゴミ箱１の残量を示す図である。図１２に示すように、本実施形態２によるゴミ箱１に、切断屑３の残量が分かるように目盛り１ｃを表示することを特徴としている。移動受け皿１９には矢印１９ａが表示され、ゴミ箱１の例えば透明の前面には目盛り１ｃが表示されている。
【００４０】
図１２（ａ）に示すように、移動受け皿１９に堆積された切断屑３が少ないときは、矢印１９ａが目盛り１ｃの上方付近を示す。一方、図１２（ｂ）に示すように、移動受け皿１９に堆積される切断屑３が多くなるにつれて矢印１９ａは下方へ移動し、切断屑３が満杯になると目盛り１ｃの最下方付近を示す。このように、目盛り１ｃおよび矢印１９ａを表示することによって、切断屑３の残量を確実に確認することが可能となる。
【００４１】
図１３は、本発明の実施形態２によるゴミ箱１の前面カバー２２の開閉を示す図である。図１３に示すように、本実施形態２によるゴミ箱１は、ゴミ箱１の側面のうちの少なくとも１つの面であって開閉可能な前面カバー（カバー）２２と、ゴミ箱１の底面近傍に設けられ、前面カバー２２を閉ロックするロックＳＷ（ロック部材）２１とをさらに備え、前面カバー２２は、移動受け皿１９がゴミ箱１の底面以外に存在するときはロックＳＷ２１によって閉ロックされ、移動受け皿１９がゴミ箱１の底面に存在するときはロックＳＷ２１による閉ロックが解除されることを特徴としている。なお、図１３（ａ）において、エンコーダー１６、トルクリミッタ１７、および伝達ギヤ１８は、図示を省略している。
【００４２】
図１３（ａ）に示すように、切断屑３の堆積量が少ない場合において、回転中心２３に嵌合しているロックＳＷ２１は、前面カバー２２が開かないようにロックされている。一方、図１３（ｂ）に示すように、切断屑３の堆積量が多い場合において、移動受け皿１９がゴミ箱１の底面まで移動すると、移動受け皿１９の底面によってロックＳＷ２１が押下され、回転中心２３にてロックＳＷ２１が回転してロックが解除されて前面カバー２２を開けることができる。このように、ゴミ箱１内に満杯に堆積された切断屑３を、プリンタ本体からゴミ箱１を取り外すことなく、前面カバー２２を開けることによって簡単に破棄することが可能となる。
【００４３】
以上のことから、移動受け皿１９を用いることによって、切断屑３を効率的にゴミ箱１に堆積させることが可能となる。また、目盛り１ｃおよび矢印１９ａを表示することによって、切断屑３の残量を確実に確認することが可能となる。さらに、ロックＳＷ２１を設けることによって、ゴミ箱１内で満杯になった切断屑３を簡単に破棄することが可能となる。
【産業上の利用可能性】
【００４４】
本発明の活用例としては、手間を極力かけることなく大量の記録紙を印刷することができ、かつ、ゴミの交換をできるだけ少なくしたメンテナンス性の良いプリンタ装置として利用できる。
【符号の説明】
【００４５】
１  ゴミ箱、１ａ  レール、１ｃ  目盛り、２  カッター、３  切断屑、４  排紙ローラー、５  駆動歯車、５ａ  伝達小ギヤ、６  サーマルヘッド、７  プラテンローラー、８  ピンチローラー、９  グリップローラー、１０  ペーパーロール、１１  ロール紙、１２  記録紙、１４  入り口滑り台、１４ａ  入り口ガイド板、１４ｂ  フェンスカバー、１５  回転体、１５ａ  回転羽根、１６  エンコーダー、１７  トルクリミッタ、１８  伝達ギヤ、１９  移動受け皿、１９ａ  矢印、２０  移動ばね、２１  ロックＳＷ、２２  前面カバー、２３  回転中心。
【図１】
2010188618.tif 000003
【図２】
2010188618.tif 000004
【図３】
2010188618.tif 000005
【図４】
2010188618.tif 000006
【図５】
2010188618.tif 000007
【図６】
2010188618.tif 000008
【図７】
2010188618.tif 000009
【図８】
2010188618.tif 000010
【図９】
2010188618.tif 000011
【図１０】
2010188618.tif 000012
【図１１】
2010188618.tif 000013
【図１２】
2010188618.tif 000014
【図１３】
2010188618.tif 000015